(57)【要約】【課題】本考案は、遊技機ごとに設置されている表示装置付遊技媒体貸出機をそのまま利用して遊技機を常時監視できる表示装置付遊技媒体貸出機を使用した遊技機監視システムを提供する。【解決手段】パチンコ機１０の横には液晶表示装置付パチンコ玉貸出機１１が設置されている。パチンコ機１０の基板収容ケース１６にはＩＣタグ２２が貼付されている。パチンコ機１０の後方にはＩＣタグ２２と間隔を設けてアンテナ３０が配設されている。液晶表示装置付パチンコ玉貸出機１１には液晶表示装置３２が取り付けられ、液晶表示装置３２には遊技機情報用制御基板３６が内蔵されている。また、液晶表示装置３２には遊技機監視システム用制御基板３８が内蔵されている。この遊技機監視システム用制御基板３８はアンテナ３０とパチンコ機１０の呼出ランプ４０に接続されている。【選択図】図１
0003140751.tif 000002
【実用新案登録請求の範囲】
【請求項１】
遊技機と、この遊技機に対応して配設されると共に前記遊技機に関する遊技機プレー情報を表示することができる表示装置を設けた表示装置付遊技媒体貸出機と、前記遊技機ごとに取り付けられたＩＣタグと、前記遊技機に対応して配設されると共に前記ＩＣタグと交信することができるアンテナと、前記表示装置付遊技媒体貸出機に設けられて前記アンテナに対してＩＣタグの情報確認指示を出すと共にアンテナから送られてきた前記ＩＣタグの情報を判断して前記情報が異常情報であると判断した場合に前記表示装置付遊技媒体貸出機の表示装置に警告情報を表示する遊技機監視システム用制御基板と、を有してなることを特徴とする表示装置付遊技媒体貸出機を使用した遊技機監視システム。
【請求項２】
遊技機と、この遊技機に対応して配設されると共に前記遊技機に関する遊技機プレー情報を表示することができる表示装置を設けた表示装置付遊技媒体貸出機と、前記遊技機ごとに取り付けられたＩＣタグと、前記遊技機に対応して配設されると共に前記ＩＣタグと交信することができるアンテナと、前記遊技機に設けられた呼出ランプと、前記表示装置付遊技媒体貸出機に設けられて前記アンテナに対してＩＣタグの情報確認指示を出すと共にアンテナから送られてきた前記ＩＣタグの情報を判断して前記情報が異常情報であると判断した場合に前記表示装置付遊技媒体貸出機の表示装置に警告情報を表示すると共に前記呼出ランプを点灯させる遊技機監視システム用制御基板と、を有してなることを特徴とする表示装置付遊技媒体貸出機を使用した遊技機監視システム。
【請求項３】
遊技機と、この遊技機に対応して配設されると共に前記遊技機に関する遊技機プレー情報を表示することができる液晶表示装置を設けた液晶表示装置付遊技媒体貸出機と、前記遊技機ごとに取り付けられたＩＣタグと、前記遊技機に対応して配設されると共に前記ＩＣタグと交信することができるアンテナと、前記液晶表示装置付遊技媒体貸出機の液晶表示装置に設けられて前記アンテナに対してＩＣタグの情報確認指示を出すと共にアンテナから送られてきた前記ＩＣタグの情報を判断して前記情報が異常情報であると判断した場合に前記液晶表示装置の液晶画面部に警告情報を表示する遊技機監視システム用制御基板と、を有してなることを特徴とする表示装置付遊技媒体貸出機を使用した遊技機監視システム。
【請求項４】
遊技機と、この遊技機に対応して配設されると共に前記遊技機に関する遊技機プレー情報を表示することができる液晶表示装置を設けた液晶表示装置付遊技媒体貸出機と、前記遊技機ごとに取り付けられたＩＣタグと、前記遊技機に対応して配設されると共に前記ＩＣタグと交信することができるアンテナと、前記遊技機に設けられた呼出ランプと、前記液晶表示装置付遊技媒体貸出機の液晶表示装置に設けられて前記アンテナに対してＩＣタグの情報確認指示を出すと共にアンテナから送られてきた前記ＩＣタグの情報を判断して前記情報が異常情報であると判断した場合に前記液晶表示装置の液晶画面部に警告情報を表示すると共に前記呼出ランプを点灯させる遊技機監視システム用制御基板と、を有してなることを特徴とする表示装置付遊技媒体貸出機を使用した遊技機監視システム。
【請求項５】
遊技機と、この遊技機に対応して配設されると共に前記遊技機に関する遊技機プレー情報を表示することができる液晶表示装置を設けた液晶表示装置付遊技媒体貸出機と、前記遊技機の基板収容ケースに取り付けられたＩＣタグと、前記遊技機に対応して配設されると共に前記ＩＣタグと交信することができるアンテナと、前記遊技機に設けられた呼出ランプと、前記液晶表示装置付遊技媒体貸出機の液晶表示装置に設けられて前記アンテナに対してＩＣタグの情報確認指示を出すと共にアンテナから送られてきた前記ＩＣタグの情報を判断して前記情報が異常情報であると判断した場合に前記液晶表示装置の液晶画面部に警告情報を表示すると共に前記呼出ランプを点灯させる遊技機監視システム用制御基板と、を有してなることを特徴とする表示装置付遊技媒体貸出機を使用した遊技機監視システム。
【請求項６】
前記遊技機をパチンコ機にしたことを特徴とする請求項１、請求項２、請求項３、請求項４、請求項５記載の表示装置付遊技媒体貸出機を使用した遊技機監視システム。
【考案の詳細な説明】
【技術分野】
【０００１】  本考案は、パチンコ機等の遊技機の横等に設置される遊技媒体貸出機を利用して遊技機を常時監視する表示装置付遊技媒体貸出機を使用した遊技機監視システムに関する。
【背景技術】
【０００２】  遊技機としてのパチンコ機にはパチンコ機のゲーム全般をコントロールする制御基板が基板収容ケースに収容された状態で配設されている。この制御基板にはパチンコ機の大当たり等を決定する重要なプログラムが記録されたＲＯＭや電子部品等が取り付けられている。
このため、不正に前記基板収容ケースを開けて前記ＲＯＭを改竄ＲＯＭに交換すること等により当該パチンコ機のゲームをコントロールして多くの出玉を不正に獲得する不正行為が可能となっている。
そこで、前記基板収容ケースにＩＣタグを貼付すると共にＩＣタグと通信可能なアンテナを配設してパチンコ機を常時監視することができる遊技機の監視システムが提案されている。
しかし、この遊技機の監視システムにおいては前記アンテナはパチンコ店の管理室等に設置された管理用コンピュータと接続され、この管理用コンピュータの画面を見ることによりパチンコ機に不正行為等があったか否かを監視している。
このため、パチンコ店においては前記管理用コンピュータを別途に設置する必要がある。
【考案の開示】
【考案が解決しようとする課題】
【０００３】  本考案は、上記事実に鑑みなされたものであり、遊技機ごとに設置されている表示装置付遊技媒体貸出機をそのまま利用して遊技機を常時監視できるようにすることにより、別途に遊技機を監視するためのコンピュータを不要にできる表示装置付遊技媒体貸出機を使用した遊技機監視システムを提供するものである。
【課題を解決するための手段】
【０００４】  請求項１の考案は、遊技機と、この遊技機に対応して配設されると共に前記遊技機に関する遊技機プレー情報を表示することができる表示装置を設けた表示装置付遊技媒体貸出機と、前記遊技機ごとに取り付けられたＩＣタグと、前記遊技機に対応して配設されると共に前記ＩＣタグと交信することができるアンテナと、前記表示装置付遊技媒体貸出機に設けられて前記アンテナに対してＩＣタグの情報確認指示を出すと共にアンテナから送られてきた前記ＩＣタグの情報を判断して前記情報が異常情報であると判断した場合に前記表示装置付遊技媒体貸出機の表示装置に警告情報を表示する遊技機監視システム用制御基板と、を有してなることを特徴としている。
請求項２の考案は、遊技機と、この遊技機に対応して配設されると共に前記遊技機に関する遊技機プレー情報を表示することができる表示装置を設けた表示装置付遊技媒体貸出機と、前記遊技機ごとに取り付けられたＩＣタグと、前記遊技機に対応して配設されると共に前記ＩＣタグと交信することができるアンテナと、前記遊技機に設けられた呼出ランプと、前記表示装置付遊技媒体貸出機に設けられて前記アンテナに対してＩＣタグの情報確認指示を出すと共にアンテナから送られてきた前記ＩＣタグの情報を判断して前記情報が異常情報であると判断した場合に前記表示装置付遊技媒体貸出機の表示装置に警告情報を表示すると共に前記呼出ランプを点灯させる遊技機監視システム用制御基板と、を有してなることを特徴としている。
請求項３の考案は、遊技機と、この遊技機に対応して配設されると共に前記遊技機に関する遊技機プレー情報を表示することができる液晶表示装置を設けた液晶表示装置付遊技媒体貸出機と、前記遊技機ごとに取り付けられたＩＣタグと、前記遊技機に対応して配設されると共に前記ＩＣタグと交信することができるアンテナと、前記液晶表示装置付遊技媒体貸出機の液晶表示装置に設けられて前記アンテナに対してＩＣタグの情報確認指示を出すと共にアンテナから送られてきた前記ＩＣタグの情報を判断して前記情報が異常情報であると判断した場合に前記液晶表示装置の液晶画面部に警告情報を表示する遊技機監視システム用制御基板と、を有してなることを特徴としている。
請求項４の考案は、遊技機と、この遊技機に対応して配設されると共に前記遊技機に関する遊技機プレー情報を表示することができる液晶表示装置を設けた液晶表示装置付遊技媒体貸出機と、前記遊技機ごとに取り付けられたＩＣタグと、前記遊技機に対応して配設されると共に前記ＩＣタグと交信することができるアンテナと、前記遊技機に設けられた呼出ランプと、前記液晶表示装置付遊技媒体貸出機の液晶表示装置に設けられて前記アンテナに対してＩＣタグの情報確認指示を出すと共にアンテナから送られてきた前記ＩＣタグの情報を判断して前記情報が異常情報であると判断した場合に前記液晶表示装置の液晶画面部に警告情報を表示すると共に前記呼出ランプを点灯させる遊技機監視システム用制御基板と、を有してなることを特徴としている。
請求項５の考案は、遊技機と、この遊技機に対応して配設されると共に前記遊技機に関する遊技機プレー情報を表示することができる液晶表示装置を設けた液晶表示装置付遊技媒体貸出機と、前記遊技機の基板収容ケースに取り付けられたＩＣタグと、前記遊技機に対応して配設されると共に前記ＩＣタグと交信することができるアンテナと、前記遊技機に設けられた呼出ランプと、前記液晶表示装置付遊技媒体貸出機の液晶表示装置に設けられて前記アンテナに対してＩＣタグの情報確認指示を出すと共にアンテナから送られてきた前記ＩＣタグの情報を判断して前記情報が異常情報であると判断した場合に前記液晶表示装置の液晶画面部に警告情報を表示すると共に前記呼出ランプを点灯させる遊技機監視システム用制御基板と、を有してなることを特徴としている。
請求項６の考案は、前記遊技機をパチンコ機にしたことを特徴としている。
【考案の効果】
【０００５】  本考案の表示装置付遊技媒体貸出機を使用した遊技機監視システムは、遊技機に対応して設置された表示装置付遊技媒体貸出機を利用することにより遊技機を常時監視することができるという優れた効果を有する。
また、本考案の表示装置付遊技媒体貸出機を使用した遊技機監視システムは、既存の表示装置付遊技媒体貸出機を利用するので別途にコンピュータを接続したりコンピュータを設置する必要がないので煩雑でなく経済的であるという優れた効果を有する。
【考案を実施するための最良の形態】
【０００６】  考案を実施するために最良の形態の例として以下のような実施例を示す。
【実施例１】
【０００７】  図１〜図４には本考案に係る表示装置付遊技媒体貸出機を使用した遊技機監視システムの一実施例が示されている。なお、この実施例では表示装置付遊技媒体貸出機を使用した遊技機監視システムは遊技機としてのパチンコ機と、表示装置付遊技媒体貸出機としての液晶表示装置付パチンコ玉貸出機と、を例にして説明する。
図１に示されるように、遊技機としてのパチンコ機１０は横方向に複数（図１においては２台のみ示す）並べられて配設されている。このパチンコ機１０の横にはパチンコ機１０ごとに対応して表示装置付遊技媒体貸出機としての液晶表示装置付パチンコ玉貸出機１１が設置されている。この液晶表示装置付パチンコ玉貸出機１１はコインや紙幣等を挿入すると遊技媒体としてのパチンコ玉を貸し出すための装置である。
図３に示されるように、前記パチンコ機１０の遊技盤１２の背面に固定されたボックス体１４には適宜手段を介して基板収容ケース１６が配設固定されている。
この基板収容ケース１６はケース本体１６Ａとケース蓋１６Ｂで構成されている。また、このケース本体１６Ａとケース蓋１６Ｂは無色透明な合成樹脂材で形成され、基板収容ケース１６の外側から基板収容ケース１６の内部を見ることができるようになっている。
前記基板収容ケース１６の内側には前記パチンコ機１０の大当たり等をコントロールする制御基板１８が収容されている。この制御基板１８にはパチンコ機１０の大当たり等を決定する重要なプログラムが記録されたＲＯＭ２０をはじめとして各種電子部品が取り付けられている。
前記基板収容ケース１６にはケース本体１６Ａとケース蓋１６Ｂに跨るようにしてＩＣタグ２２が貼付されている。従って、前記基板収容ケース１６のケース蓋１６Ｂを開けるためにはＩＣタグ２２を必ず剥がさなければならないようになっている。
図４に示されるように、前記ＩＣタグ２２のパッケージ体２４は透明な合成樹脂材で矩形状に形成されている。このパッケージ体２４にはアンテナ部２６が内設されている。また、前記パッケージ体２４には極めて小さくて薄いＩＣチップ２８が内設されている。このＩＣチップ２８は大量の情報を記録できるようになっている。例えば、当該パチンコ機１０が設置されている店番号や当該パチンコ機１０の台番号等の種々の情報が記録されている。
前記パッケージ体２４の裏面には接着剤が塗布され、前記ＩＣタグ２２を前記基板収容ケース１６に貼付できるようになっている。
図３に示されるように、前記パチンコ機１０の後方には前記ＩＣタグ２２と約３０ｃｍ〜約５０ｃｍの間隔を設けてリング状のアンテナ３０が１個配設されている。このアンテナ３０は前記ＩＣタグ２２との通信を行う装置である。なお、前記ＩＣタグ２２と前記アンテナ３０の間隔を約３０ｃｍ〜約５０ｃｍとしたのはＩＣタグ２２とアンテナ３０が離れすぎるとＩＣタグ２２とアンテナ３０が通信ができなくなるのを防ぐためである。
図１に示されるように、前記液晶表示装置付パチンコ玉貸出機１１には表示装置としての液晶表示装置３２が取り付けられている。この液晶表示装置３２の正面側には液晶画面部３４が形成されている。
図２に示されるように、この液晶表示装置３２の内部には当該パチンコ機１０でプレーして出た大当たりの回数や大当たりの間隔等に関するパチンコ機プレー情報等を記録、管理する遊技機情報用制御基板３６が内蔵されている。このため、通常は前記液晶画面部３４の画面にはパチンコ機プレー情報が文字、数字、グラフ等で表示されている。従って、客は前記液晶画面部３４に表示されたパチンコ機プレー情報を参考にしてパチンコ機１０を選択したりプレーしたりすることができるようになっている。
また、図２に示されるように前記液晶表示装置３２には前記パチンコ機１０を監視するための遊技機監視システム用制御基板３８が内蔵されている。この遊技機監視システム用制御基板３８は前記アンテナ３０と接続されている。
前記遊技機監視システム用制御基板３８は前記アンテナ３０に対してＩＣタグ２２と交信を行う指示を出す機能を有している。また、遊技機監視システム用制御基板３８はアンテナ３０から受け取ったＩＣタグ２２の情報の比較、照合、判断（例えば情報が正常情報か異常情報かの判断）を行う機能を有している。
さらに、前記遊技機監視システム用制御基板３８はアンテナ３０からの情報が異常情報と判断した場合は前記液晶画面部３４の画面を切り替えて、液晶画面部３４の画面にパチンコ機プレー情報から警告情報（例えば「不正発生」の文字等）や図形（例えば「×」の図形等）を表示する機能を有している。
従って、この液晶画面部３４の画面に表示されている警告情報を見ることによりパチンコ機１０の基板収容ケース１６に収容されているＲＯＭ２０が改竄ＲＯＭに交換された等の不正行為等を一目で知ることができるようになっている。
また、前記遊技機監視システム用制御基板３８は前記パチンコ機１０の遊技盤１２の上方に設けられた呼出ランプ４０とも接続されている。そして、遊技機監視システム用制御基板３８がアンテナ３０からの情報が異常情報であると判断した場合は前記呼出ランプ４０に対して呼出ランプ４０を点灯する指示を出すようになっている。
なお、前記遊技機監視システム用制御基板３８はリセット機能を有している。この実施例では図３に示されるように前記アンテナ３０にパチンコ店側が用意したＩＣカード４２（想像線で示す）を翳すとＩＣカード４２のリセット情報をアンテナ３０が受け、遊技機監視システム用制御基板３８にリセット情報を送信すると遊技機監視システム用制御基板３８が前記液晶画面部３４の画面を管理用画面に切り替えるようになっている。【０００８】  次に、前記表示装置付遊技媒体貸出機を使用した遊技機監視システムの作用を説明する。
パチンコ機１０の基板収容ケース１６にケース本体１６Ａとケース蓋１６Ｂに跨るようにＩＣタグ２２を貼付する。また、表示装置付遊技媒体貸出機を使用した遊技機監視システムを「オン状態」にする。
これにより、前記遊技機監視システム用制御基板３８はアンテナ３０に対してＩＣタグ２２の情報確認指示を行う。
前記アンテナ３０は前記遊技機監視システム用制御基板３８からの情報確認指示を受けてＩＣタグ２２と通信する。これにより前記ＩＣタグ２２はアンテナ３０に対して情報を返信する。
ＩＣタグ２２から情報を受けたアンテナ３０はＩＣタグ２２の情報を前記遊技機監視システム用制御基板３８に送信する。
前記情報を受信した前記遊技機監視システム用制御基板３８はＩＣタグ２２の情報が正常情報か異常情報かを判断し正常情報であると判断した場合は、前記遊技機監視システム用制御基板３８は再び前記アンテナ３０に対してＩＣタグ２２の情報確認の指示を出す。
従って、前記ＩＣタグ２２と前記遊技機監視システム用制御基板３８はアンテナ３０を介して交信をエンドレスで繰り返して行うことにより、パチンコ機１０を常時監視することができる。【０００９】  また、例えば、不正行為者がパチンコ機１０の制御基板１８に取り付けられているＲＯＭ２０を改竄ＲＯＭに交換すべく基板収容ケース１６のケース蓋１６Ｂを開けようとして前記ＩＣタグ２２を剥がすとＩＣタグ２２には無理な力が加わり、ＩＣタグ２２内のアンテナ部２６が壊れる。
これにより、前記ＩＣタグ２２と前記アンテナ３０は通信ができなくなるので前記アンテナ３０から受け取った情報は異常情報であると遊技機監視システム用制御基板３８は判断する。
そして、遊技機監視システム用制御基板３８は前記液晶画面部３４の画面に警告情報を表示すると共に呼出ランプ４０を点灯させる。
従って、パチンコ店側は前記液晶画面部３４の画面に表示されている警告情報を見たり前記呼出ランプ４０を見るだけでパチンコ機１０で不正行為行われた可能性があることを瞬時に知ることができる。
これにより、パチンコ店側は当該パチンコ機１０に駆けつけて、不正にパチンコ機１０のゲームをコントロールして多くの出玉を不正に獲得する等の不正行為を未然に防止することができる。
従って、本考案の表示装置付遊技媒体貸出機を使用した遊技機監視システムはパチンコ機１０ごとに配設される既存の液晶表示装置付パチンコ玉貸出機１１を利用することによりパチンコ機１０を常時監視することができる。
この結果、パチンコ機１０を監視するためにパチンコ店の管理室等に管理用コンピュータを接続したり、設置したりする必要がないので煩雑でないと共に経済的である。【００１０】  なお、前記表示装置付遊技媒体貸出機を使用した遊技機監視システムをリセットする場合はパチンコ店側の管理者が所持しているＩＣカード４２を前記アンテナ３０に翳すとＩＣカード４２のリセット情報がアンテナ３０を介して遊技機監視システム用制御基板３８に送信される。
これにより、液晶表示装置３２の液晶画面部３４の画面が管理用画面に切り替わり、管理用画面に表示されたメニューに従って操作することによりリセットすることができる。また、この管理用画面に表示されたメニューに従って操作することによりパチンコ機１０の入れ替え時の新規ＩＣタグ２２の登録等の種々の情報入力を行うことができるようになっている。
なお、前記遊技機監視システム用制御基板３８はアンテナ３０からの情報が異常情報であると判断した場合は異常情報を受けた日時等を記録したり、ＩＣカード４２をアンテナ３０に翳した場合の記録（日時や担当者等）を記録する機能を有している。【００１１】  なお、実施例では前記遊技機監視システム用制御基板３８は呼出ランプ４０とも接続したが、遊技機監視システム用制御基板３８は必ずしも呼出ランプ４０と接続しなくてもよい。この場合、異常情報を受けた前記遊技機監視システム用制御基板３８は前記液晶画面部３４の画面に警告情報を表示して液晶画面部３４だけでパチンコ機１０に改竄等の不正があったことを知らせることになる。【００１２】  なお、この実施例では遊技機としてパチンコ機１０を例にして説明したが、遊技機はパチンコ機１０に限定されるものでなく、例えばパチスロ機等をはじめとする他の遊技機でもよいことは勿論である。
また、この実施例では表示装置付遊技媒体貸出機として液晶表示装置付パチンコ玉貸出機１１を例にして説明したが、表示装置付遊技媒体貸出機は液晶表示装置付パチンコ玉貸出機１１に限定されるものでなく、例えばパチスロ機で使用する液晶表示装置付コイン貸出機等でもよいことは勿論である。
なお、実施例ではＩＣタグ２２をパチンコ機１０の基板収容ケース１６に取り付けたがＩＣタグ２２は基板収容ケース１６以外の場所に取り付けてもよいことは勿論である。
【図面の簡単な説明】
【００１３】
【図１】実施例の表示装置付遊技媒体貸出機を使用した遊技機監視システムを適用したパチンコ機の概略正面斜視図である。
【図２】実施例の表示装置付遊技媒体貸出機を使用した遊技機監視システムの概略構成図である。
【図３】実施例の表示装置付遊技媒体貸出機を使用した遊技機監視システムが適用されたパチンコ機の背面一部拡大斜視図である。
【図４】実施例の表示装置付遊技媒体貸出機を使用した遊技機監視システムに使用されるＩＣタグの平面図である。
【符号の説明】
【００１４】１０    パチンコ機
１１    液晶表示装置付パチンコ玉貸出機
１６    基板収容ケース
１８    制御基板
２０    ＲＯＭ
２２    ＩＣタグ
２６    アンテナ部
２８    ＩＣチップ
３０    アンテナ
３２    液晶表示装置
３４    液晶画面部
３６    遊技機情報用制御基板
３８    遊技機監視システム用制御基板
４０    呼出ランプ
【図１】
0003140751.tif 000003
【図２】
0003140751.tif 000004
【図３】
0003140751.tif 000005
【図４】
0003140751.tif 000006